(57)【要約】  スピーカーユニットの位置精度の向上を図ると共にスピーカーユニットから出力される音声の音漏れ及びエアー漏れを防止する。表示面に画像が表示されるディスプレイと、ディスプレイの前側に配置されたフロントボードと、フロントボードの後面側に配置されスピーカー配置部を有する配置用フレームと、スピーカー配置部に配置され音声出力孔を有するスピーカーブラケットと、スピーカーブラケットに取り付けられ音声出力部を有するスピーカーユニットとを備え、スピーカー配置部に挿入孔が形成され、フロントボードに、挿入孔に重ねられる配置孔が形成され、スピーカーブラケットに、挿入孔及び配置孔に挿入され配置孔に対して位置決めされる配置用突部が設けられ、スピーカーブラケットに音声出力部の周囲に位置される環状の密閉用クッションが設けられた。
2014103871.tif 000002
【特許請求の範囲】
【請求項１】
表示面に画像が表示されるディスプレイと、
前記ディスプレイの前側に配置されたフロントボードと、
前記フロントボードの後面側に配置されスピーカー配置部を有する配置用フレームと、
前記スピーカー配置部に配置され音声出力孔を有するスピーカーブラケットと、
前記スピーカーブラケットに取り付けられ音声出力部を有するスピーカーユニットとを備え、
前記スピーカー配置部に挿入孔が形成され、
前記フロントボードに、前記挿入孔に重ねられる配置孔が形成され、
前記スピーカーブラケットに、前記挿入孔及び前記配置孔に挿入され前記配置孔に対して位置決めされる配置用突部が設けられ、
前記スピーカーブラケットに前記音声出力部の周囲に位置される環状の密閉用クッションが設けられた
表示装置。
【請求項２】
前記スピーカーブラケットが、前記配置用突部と前記音声出力孔を有する第１の配置部材と、前記第１の配置部材に後面側から取り付けられ前記音声出力孔に重ねられる出力孔を有する第２の配置部材とによって構成され、
前記密閉用クッションが前記第２の配置部材の前記出力孔の周囲に設けられ、
前記密閉用クッションが前記第１の配置部材の後面に押し付けられる
請求項１に記載の表示装置。
【請求項３】
前記密閉用クッションが前記スピーカーブラケットの配置用突部の周囲に設けられ、
前記密閉用クッションが前記スピーカー配置部に押し付けられる
請求項１に記載の表示装置。
【請求項４】
前記スピーカーユニットの前面における前記音声出力部の周囲に、前記スピーカーブラケットに押し付けられる環状の閉塞用クッションが設けられた
請求項１に記載の表示装置。
【請求項５】
前記第２の配置部材に前記スピーカー配置部に押し付けられる押付用クッションが設けられた
請求項２に記載の表示装置。
【請求項６】
前記スピーカー配置部に取り付けられ前記スピーカーブラケット及び前記スピーカーユニットを覆い前記スピーカーユニットを後方から押さえるカバー体が設けられた
請求項１に記載の表示装置。
【請求項７】
前記カバー体の外周部に前記スピーカー配置部に押し付けられるクッション部材が設けられた
請求項６に記載の表示装置。
【請求項８】
前記スピーカーユニットを制御するスピーカー制御基板が前記スピーカー配置部に取り付けられ、
前記スピーカーブラケットに前記スピーカー配置部を押さえる押さえ突部が設けられた
請求項１に記載の表示装置。
【請求項９】
前記スピーカーユニットを制御するスピーカー制御基板が前記スピーカー配置部に取り付けられ、
前記スピーカー制御基板と前記スピーカーユニットが接続コードによって接続され、
前記スピーカーブラケットに前記接続コードを保持するコード保持部が設けられた
請求項１に記載の表示装置。
【請求項１０】
前記第２の配置部材に、前記第１の配置部材の前記スピーカー配置部に対する前後方向における変位を規制する受部が設けられた
請求項２に記載の表示装置。
【発明の詳細な説明】
【技術分野】
【０００１】
本技術は表示装置についての技術分野に関する。詳しくは、音声を出力するスピーカーユニットと画像を出力するディスプレイとを有しスピーカーユニットがスピーカー配置部に配置される表示装置についての技術分野に関する。
【先行技術文献】
【特許文献】
【０００２】
【特許文献１】特開２００６−２５３９４８号公報
【背景技術】
【０００３】
テレビジョン受像器やパーソナルコンピューター等の表示装置には、画像が表示される表示面を有するディスプレイが設けられ、ディスプレイの外側、例えば、側方や下方にスピーカーユニットが配置されたものがある（例えば、特許文献１参照）。【０００４】
特許文献１に記載された表示装置にあっては、ディスプレイの下方にスピーカーボックスが配置され、スピーカーボックスに一対のスピーカーユニットが左右に離隔して配置されている。スピーカーボックスは横長の形状に形成され、内部が空間に形成されている。一対のスピーカーユニットはスピーカーボックスの内部空間に配置されている。
【発明の概要】
【０００５】
ところが、特許文献１に記載されたようなスピーカーボックスを有する表示装置にあっては、スピーカーボックスに対するスピーカーユニットの取付公差やテレビ本体に対するスピーカーユニットの取付公差等によって、テレビ本体に対する各スピーカーユニットの位置が設計上の位置に対してずれてしまうおそれがある。
【０００６】
一方、上記のようなスピーカーユニットを有する表示装置にあっては、スピーカーユニットから出力される音声の音質の向上を図るために、スピーカーユニットの音声出力部から出力される音声の通り道となる空間を密閉空間にして他の空間からの音漏れ及びエアー漏れを防止することが望ましい。
【０００７】
そこで、スピーカーユニットの位置精度の向上を図ると共にスピーカーユニットから出力される音声の音漏れ及びエアー漏れを防止することが望ましい。
【０００８】
第１に、本技術の一実施の形態に係る表示装置は、表示面に画像が表示されるディスプレイと、前記ディスプレイの前側に配置されたフロントボードと、前記フロントボードの後面側に配置されスピーカー配置部を有する配置用フレームと、前記スピーカー配置部に配置され音声出力孔を有するスピーカーブラケットと、前記スピーカーブラケットに取り付けられ音声出力部を有するスピーカーユニットとを備え、前記スピーカー配置部に挿入孔が形成され、前記フロントボードに、前記挿入孔に重ねられる配置孔が形成され、前記スピーカーブラケットに、前記挿入孔及び前記配置孔に挿入され前記配置孔に対して位置決めされる配置用突部が設けられ、前記スピーカーブラケットに前記音声出力部の周囲に位置される環状の密閉用クッションが設けられたものである。
【０００９】
従って、本技術の一実施の形態に係る表示装置にあっては、密閉用クッションによって音声出力部から出力される音声の通り道が密閉空間とされる。
【００１０】
第２に、上記した表示装置においては、前記スピーカーブラケットが、前記配置用突部と前記音声出力孔を有する第１の配置部材と、前記第１の配置部材に後面側から取り付けられ前記音声出力孔に重ねられる出力孔を有する第２の配置部材とによって構成され、前記密閉用クッションが前記第２の配置部材の前記出力孔の周囲に設けられ、前記密閉用クッションが前記第１の配置部材の後面に押し付けられることが望ましい。
【００１１】
密閉用クッションが第２の配置部材の出力孔の周囲に設けられ、密閉用クッションが第１の配置部材の後面に押し付けられることにより、第１の配置部材と第２の配置部材の間に密閉空間が形成される。
【００１２】
第３に、上記した表示装置においては、前記密閉用クッションが前記スピーカーブラケットの配置用突部の周囲に設けられ、前記密閉用クッションが前記スピーカー配置部に押し付けられることが望ましい。
【００１３】
密閉用クッションがスピーカーブラケットの配置用突部の周囲に設けられ、密閉用クッションがスピーカー配置部に押し付けられることにより、スピーカーブラケットとスピーカー配置部の間に密閉空間が形成される。
【００１４】
第４に、上記した表示装置においては、前記スピーカーユニットの前面における前記音声出力部の周囲に、前記スピーカーブラケットに押し付けられる環状の閉塞用クッションが設けられることが望ましい。
【００１５】
スピーカーユニットの前面における音声出力部の周囲に、スピーカーブラケットに押し付けられる環状の閉塞用クッションが設けられることにより、スピーカーユニットとスピーカーブラケットの間に密閉空間が形成される。
【００１６】
第５に、上記した表示装置においては、前記第２の配置部材に前記スピーカー配置部に押し付けられる押付用クッションが設けられることが望ましい。
【００１７】
第２の配置部材にスピーカー配置部に押し付けられる押付用クッションが設けられることにより、第２の配置部材のスピーカー配置部に対する配置状態が安定する。
【００１８】
第６に、上記した表示装置においては、前記スピーカー配置部に取り付けられ前記スピーカーブラケット及び前記スピーカーユニットを覆い前記スピーカーユニットを後方から押さえるカバー体が設けられることが望ましい。
【００１９】
スピーカー配置部に取り付けられスピーカーブラケット及びスピーカーユニットを覆いスピーカーユニットを後方から押さえるカバー体が設けられることにより、スピーカーユニットが安定して配置される。
【００２０】
第７に、上記した表示装置においては、前記カバー体の外周部に前記スピーカー配置部に押し付けられるクッション部材が設けられることが望ましい。
【００２１】
カバー体の外周部にスピーカー配置部に押し付けられるクッション部材が設けられることにより、カバー体とスピーカー配置部によって密閉空間が形成される。
【００２２】
第８に、上記した表示装置においては、前記スピーカー配置部に前記スピーカーユニットを制御するスピーカー制御基板が取り付けられ、前記スピーカーブラケットに前記スピーカー制御基板を押さえる押さえ突部が設けられることが望ましい。
【００２３】
スピーカー配置部にスピーカーユニットを制御するスピーカー制御基板が取り付けられ、スピーカーブラケットにスピーカー制御基板を押さえる押さえ突部が設けられることにより、押さえ突部によってスピーカー制御基板のスピーカー配置部に対する変位が規制される。
【００２４】
第９に、上記した表示装置においては、前記スピーカー配置部に前記スピーカーユニットを制御するスピーカー制御基板が取り付けられ、前記スピーカー制御基板と前記スピーカーユニットが接続コードによって接続され、前記スピーカーブラケットに前記接続コードを保持するコード保持部が設けられることが望ましい。
【００２５】
スピーカー配置部にスピーカーユニットを制御するスピーカー制御基板が取り付けられ、スピーカー制御基板とスピーカーユニットが接続コードによって接続され、スピーカーブラケットに接続コードを保持するコード保持部が設けられることにより、スピーカーユニットに接続コードからの望ましくない負荷が付与されない。
【００２６】
第１０に、上記した表示装置においては、前記第２の配置部材に、前記第１の配置部材の前記スピーカー配置部に対する前後方向における変位を規制する受部が設けられることが望ましい。
【００２７】
第２の配置部材に、第１の配置部材のスピーカー配置部に対する前後方向における変位を規制する受部が設けられることにより、第１の配置部材の意図しない変位が受部によって規制される。
【００２８】
本技術の一実施の形態に係る表示装置は、表示面に画像が表示されるディスプレイと、前記ディスプレイの前側に配置されたフロントボードと、前記フロントボードの後面側に配置されスピーカー配置部を有する配置用フレームと、前記スピーカー配置部に配置され音声出力孔を有するスピーカーブラケットと、前記スピーカーブラケットに取り付けられ音声出力部を有するスピーカーユニットとを備え、前記スピーカー配置部に挿入孔が形成され、前記フロントボードに、前記挿入孔に重ねられる配置孔が形成され、前記スピーカーブラケットに、前記挿入孔及び前記配置孔に挿入され前記配置孔に対して位置決めされる配置用突部が設けられ、前記スピーカーブラケットに前記音声出力部の周囲に位置される環状の密閉用クッションが設けられている。
【００２９】
従って、スピーカーユニットが取り付けられるスピーカーブラケットがフロントボードに対して位置決めされ、また、密閉用クッションによって音声出力部から出力される音声の通り道となる空間が密閉空間にされるため、スピーカーユニットの位置精度の向上を図ることができると共にスピーカーユニットから出力される音声の音漏れ及びエアー漏れを防止することができる。
【００３０】
請求項２に記載した技術の一実施の形態にあっては、前記スピーカーブラケットが、前記配置用突部と前記音声出力孔を有する第１の配置部材と、前記第１の配置部材に後面側から取り付けられ前記音声出力孔に重ねられる出力孔を有する第２の配置部材とによって構成され、前記密閉用クッションが前記第２の配置部材の前記出力孔の周囲に設けられ、前記密閉用クッションが前記第１の配置部材の後面に押し付けられる。
【００３１】
従って、配置孔以外からの音漏れ及びエアー漏れを防止することが可能となりスピーカーユニットにおける良好な音質の音声出力を行うことができる。
【００３２】
請求項３に記載した技術の一実施の形態にあっては、前記密閉用クッションが前記スピーカーブラケットの配置用突部の周囲に設けられ、前記密閉用クッションが前記スピーカー配置部に押し付けられる。
【００３３】
従って、配置孔以外からの音漏れ及びエアー漏れを防止することが可能となりスピーカーユニットにおける良好な音質の音声出力を行うことができる。
【００３４】
請求項４に記載した技術の一実施の形態にあっては、前記スピーカーユニットの前面における前記音声出力部の周囲に、前記スピーカーブラケットに押し付けられる環状の閉塞用クッションが設けられている。
【００３５】
従って、配置孔以外からの音漏れ及びエアー漏れを防止することが可能となりスピーカーユニットにおける良好な音質の音声出力を行うことができる。
【００３６】
請求項５に記載した技術の一実施の形態にあっては、前記第２の配置部材に前記スピーカー配置部に押し付けられる押付用クッションが設けられている。
【００３７】
従って、第２の配置部材のスピーカー配置部に対するガタツキが防止され、スピーカーユニットにおける良好な音質の音声出力を行うことができる。
【００３８】
請求項６に記載した技術の一実施の形態にあっては、前記スピーカー配置部に取り付けられ前記スピーカーブラケット及び前記スピーカーユニットを覆い前記スピーカーユニットを後方から押さえるカバー体が設けられている。
【００３９】
従って、スピーカーユニットの安定した配置状態が確保され、スピーカーユニットにおける良好な音質の音声出力を行うことができる。
【００４０】
請求項７に記載した技術の一実施の形態にあっては、前記カバー体の外周部に前記スピーカー配置部に押し付けられるクッション部材が設けられている。
【００４１】
従って、カバー体とスピーカー配置部によって密閉空間が形成されるため、スピーカーユニットから出力される音声の漏れが防止され、音質の向上を図ることができる。
【００４２】
請求項８に記載した技術の一実施の形態にあっては、前記スピーカー配置部に前記スピーカーユニットを制御するスピーカー制御基板が取り付けられ、前記スピーカーブラケットに前記スピーカー制御基板を押さえる押さえ突部が設けられている。
【００４３】
従って、押さえ突部によってスピーカー制御基板のスピーカー配置部に対する変位が規制され、スピーカー配置部に対するスピーカー制御基板の取付作業における作業性の向上を図ることができる。
【００４４】
請求項９に記載した技術の一実施の形態にあっては、前記スピーカー配置部に前記スピーカーユニットを制御するスピーカー制御基板が取り付けられ、前記スピーカー制御基板と前記スピーカーユニットが接続コードによって接続され、前記スピーカーブラケットに前記接続コードを保持するコード保持部が設けられている。
【００４５】
従って、スピーカーユニットに接続コードからの望ましくない負荷が付与されずスピーカーユニットの安定した配置状態を確保することができる。
【００４６】
請求項１０に記載した技術の一実施の形態にあっては、前記第２の配置部材に、前記第１の配置部材の前記スピーカー配置部に対する前後方向における変位を規制する受部が設けられている。
【００４７】
従って、第１の配置部材の意図しない変位が受部によって規制され、スピーカーユニットにおける良好な音質の音声出力を行うことができる。
【図面の簡単な説明】
【００４８】
【図１】図２乃至図３２と共に本技術の一実施の形態に係る表示装置を示すものであり、本図は、表示装置の斜視図である。
【図２】表示装置の概略分解斜視図である。
【図３】配置用フレームの斜視図である。
【図４】スピーカー配置部の斜視図である。
【図５】図４とは異なる方向から見た状態で示すスピーカー配置部の斜視図である。
【図６】スピーカー配置部の断面図である。
【図７】スピーカー配置部とスピーカー配置部に取り付けられる各部材を示す分解斜視図である。
【図８】図７とは異なる方向から見た状態でスピーカー配置部とスピーカー配置部に取り付けられる各部材を示す分解斜視図である。
【図９】第１の配置部材の斜視図である。
【図１０】図９とは異なる方向から見た状態で示す第１の配置部材の斜視図である。
【図１１】第２の配置部材の斜視図である。
【図１２】図１１とは異なる方向から見た状態で示す第２の配置部材の斜視図である。
【図１３】第１のスピーカーユニットの斜視図である。
【図１４】図１３とは異なる方向から見た状態で示す第１のスピーカーユニットの斜視図である。
【図１５】別の第１のスピーカーユニットの斜視図である。
【図１６】図１５とは異なる方向から見た状態で示す別の第１のスピーカーユニットの斜視図である。
【図１７】第２のスピーカーブラケットの斜視図である。
【図１８】図１７とは異なる方向から見た状態で示す第２のスピーカーブラケットの斜視図である。
【図１９】第２のスピーカーユニットの斜視図である。
【図２０】図１９とは異なる方向から見た状態で示す第２のスピーカーユニットの斜視図である。
【図２１】第２のスピーカーブラケットに接続コードが保持された状態を示す斜視図である。
【図２２】カバー体の斜視図である。
【図２３】図２２とは異なる方向から見た状態で示すカバー体の斜視図である。
【図２４】図２５乃至図２７と共に第１のスピーカー構造体における各部の取付手順を示すものであり、本図は、スピーカー配置部に第１の配置部材が配置された状態を示す断面図である。
【図２５】スピーカー配置部及び第１の配置部材に第２の配置部材が配置された状態を示す断面図である。
【図２６】第２の配置部材に第１のスピーカーユニットが配置された状態を示す断面図である。
【図２７】第１のスピーカー構造体の各部が配置された状態を示す背面図である。
【図２８】図２９及び図３０と共に第２のスピーカー構造体における各部の取付手順を示すものであり、本図は、スピーカー配置部に第２のスピーカーブラケットが配置された状態を示す断面図である。
【図２９】第２のスピーカーブラケットに第２のスピーカーユニットが配置された状態を示す断面図である。
【図３０】第２のスピーカー構造体の各部が配置された状態を示す背面図である。
【図３１】スピーカー配置部にカバー体が取り付けられる前の状態を示す分解斜視図である。
【図３２】第１のスピーカー構造体と第２のスピーカー構造体が配置された状態を示す正面図である。
【発明を実施するための形態】
【００４９】
以下に、本技術の一実施の形態に係る表示装置を実施するための形態を添付図面に従って説明する。
【００５０】
以下に示した実施の形態は、本技術の一実施の形態に係る表示装置を、ディスプレイに画像を表示するテレビジョン受像器に適用したものである。
【００５１】
尚、本技術の適用範囲はテレビジョン受像器に限られることはなく、パーソナルコンピューター等に用いられるモニター等の各種の表示装置に広く適用することができる。
【００５２】
［表示装置の構成］
表示装置（テレビジョン受像器）１は、例えば、横長の扁平な略矩形状に形成され、画像が表示されるディスプレイ（表示パネル）２とディスプレイ２の前側に配置されたフロントボード３とディスプレイ２の後側に配置されたバックライトユニット４とを有している（図１及び図２参照）。
【００５３】
ディスプレイ２は前後方向を向く板状に形成されている。ディスプレイ２としては、例えば、液晶パネルが用いられている。ディスプレイ２は前面のうち外周部を除く領域が、画像が表示される表示面２ａとされている。
【００５４】
ディスプレイ２の下端部には接続基板５、５、・・・を介して横長の駆動基板６、６が接続されている。接続基板５は高い屈曲性を有している。駆動基板６、６は左右に並んで位置されている。
【００５５】
フロントボード３は前後方向を向く板状の材料、例えば、透明なガラスによって横長の矩形状に形成されている。尚、フロントボード３はディスプレイ２に表示される画像が視認可能であれば透明材料によって形成されることに限られることはない。フロントボード３は、左右両側部がそれぞれ配置面部７、７として設けられている。フロントボード３は上下両端部と配置面部７、７に囲まれた領域がディスプレイ２に対向する画像表示領域３ａとして形成されている。
【００５６】
配置面部７には上下に離隔して第１の配置孔７ａ、７ａと第２の配置孔７ｂが形成されている。
【００５７】
第１の配置孔７ａ、７ａは一部が側方の空間に連通されている。第１の配置孔７ａは配置面部７の左端から右端の全体に亘って形成されている。
【００５８】
第２の配置孔７ｂは第１の配置孔７ａ、７ａの間に位置され、第１の配置孔７ａ、７ａより径が小さくされている。
【００５９】
フロントボード３の後面側には配置用フレーム８が配置されている。配置用フレーム８は左右に離隔して位置されたスピーカー配置部９、９とスピーカー配置部９、９間を連結する連結バー１０、１０とから成る（図３参照）。
【００６０】
スピーカー配置部９は前後方向を向くベース面部１１とベース面部１１の外側の端部から後方へ突出された側面部１２とベース面部１１の内側の端部に設けられた保持部１３とから成る（図４及び図５参照）。
【００６１】
ベース面部１１の後面側には左右両端部に後方へ突出された突部１４、１４が設けられている。
【００６２】
ベース面部１１における突部１４、１４の後面はそれぞれ後側面１１ａ、１１ａとして形成され、後側面１１ａ、１１ａの内側の面は前方へ行くに従って互いに近付く方向へ傾斜された傾斜面１１ｂ、１１ｂとして形成されている。傾斜面１１ａ、１１ａの間の面は後側面１１ａ、１１ａより前側に位置された前側面１１ｃとして形成されている。
【００６３】
ベース面部１１には上下に離隔して第１の挿入孔９ａ、９ａと第２の挿入孔９ｂが形成されている。
【００６４】
第１の挿入孔９ａ、９ａはベース面部１１の左端から右端の全体に亘って形成され、配置面部７の第１の配置孔７ａ、７ａと略同じ大きさにされている。
【００６５】
第２の挿入孔９ｂは第１の挿入孔９ａ、９ａの間に位置され、第１の挿入孔９ａ、９ａより径が小さくされ、配置面部７の第２の配置孔７ｂと略同じ大きさにされている。第２の挿入孔９ｂは前側面１１ｃが形成された部分に位置されている。
【００６６】
ベース面部１１の後面における第１の挿入孔９ａ、９ａの上縁における左右両端部はそれぞれ位置決め縁１１ｄ、１１ｄ、・・・として形成されている。ベース面部１１の後面における第１の挿入孔９ａ、９ａの下側には位置決め穴１１ｅ、１１ｅが形成されている。
【００６７】
ベース面部１１の後面における第２の挿入孔９ｂの側方には位置決め凹部１１ｆが形成されている。
【００６８】
ベース面部１１の上下両端部には上方又は下方へ突出された結合用突部１１ｇ、１１ｇが設けられている。
【００６９】
突部１４、１４にはそれぞれ後方に開口された螺穴１４ａ、１４ａ、・・・が上下に離隔して形成されている。
【００７０】
側面部１２には内方へ突出された係止突条１２ａが設けられている。係止突条１２ａは上下に延びる状態で設けられている。
【００７１】
保持部１３は内方に開口された凹状に形成されている。
【００７２】
連結バー１０は左右に延び内方（下方又は上方）に開口された凹状に形成されている。連結バー１０、１０は左右両端部がそれぞれスピーカー配置部９、９の結合用突部１１ｆ、１１ｆ、・・・に結合されることによりスピーカー配置部９、９に取り付けられ、連結バー１０、１０がスピーカー配置部９、９に取り付けられることにより配置用フレーム８が構成される。
【００７３】
配置用フレーム８はフロントボード３の後側に配置され、配置用フレーム８がフロントボード３の後側に配置された状態においては、フロントボード３の第１の配置孔７ａ、７ａ、・・・の真後ろに配置用フレーム８の第１の挿入孔９ａ、９ａ、・・・がそれぞれ位置され、フロントボード３の第２の配置孔７ｂ、７ｂの真後ろに配置用フレーム８の第２の挿入孔９ｂ、９ｂがそれぞれ位置される。
【００７４】
上記のように、スピーカー配置部９、９の保持部１３、１３と連結バー１０、１０が内方に開口された凹状に形成されており、ディスプレイ２の外周部がこれらの凹状の各部分に挿入されて配置用フレーム８に保持される。
【００７５】
バックライトユニット４は前後に並んで配置された光学シート、拡散板、バックシャーシ、回路基板等や下方に位置された複数の光源等を有している。光源から上方へ向けて出射された光は拡散板に入射され拡散板によって拡散され光学シートによって制御されてディスプレイ２にバックライトとして入射される。光源としては、例えば、発光ダイオードが用いられている。
【００７６】
スピーカー配置部９、９には第１のスピーカー構造体１５、１５、・・・と第２のスピーカー構造体１６、１６が取り付けられる（図７及び図８参照）。
【００７７】
バックライトユニット４はディスプレイ２の後側に対向した状態で配置される。バックライトユニット４の回路基板には、接続基板５、５、・・・がバックライトユニット４の下方において折り返されて駆動基板６、６が接続される。
【００７８】
スピーカー配置部９には、第１のスピーカー構造体１５、１５が上下に離隔して取り付けられ、第２のスピーカー構造体１６が第１のスピーカー構造体１５、１５の間に取り付けられる。上側の第１のスピーカー構造体１５は、例えば、パッシブラジエーター用スピーカーの構造体であり、下側の第１のスピーカー構造体１５は、例えば、アクセル（フルレンジ）用のスピーカーの構造体であり、第２のスピーカー構造体１６は、例えば、ツイーター用のスピーカーの構造体である。
【００７９】
尚、表示装置１には図示しないウーハー用のスピーカー構造体も設けられている。
【００８０】
第１のスピーカー構造体１５は第１の配置部材１７と第２の配置部材１８と第１のスピーカーユニット１９によって構成されている。第１の配置部材１７と第２の配置部材１８によって第１のスピーカーブラケット２０が構成されている。
【００８１】
第１の配置部材１７は略前後方向を向く略円環状に形成された配置用突部２１と配置用突部２１の後面に設けられた被支持突部２２、２２、・・・とを有している（図９及び図１０参照）。
【００８２】
配置用突部２１の内側の孔は音声出力孔２１ａとして形成されている。配置用突部２１には後方へ突出された位置決め突部２１ｂ、２１ｂが上下に離隔して設けられている。
【００８３】
被支持突部２２は少なくとも一部が配置用突部２１から外方へ突出されている。
【００８４】
第２の配置部材１８は外形が縦長の略矩形状に形成されたベース面部２３とベース面部２３の上面から上方へ突出された押さえ突部２４、２４とベース面部２３の下面から下方へ突出された位置決め片２５とを有している（図１１及び図１２参照）。
【００８５】
ベース面部２３は４隅の部分が他の部分より後方に位置され、この４隅の部分がそれぞれ締結部２６、２６、・・・として設けられている。ベース面部２３のうち左右に位置する締結部２６、２６間の部分は突状部２７として設けられている。ベース面部２３のうち上下に位置する突状部２７、２７の間の部分は略円環状の押付部２８として設けられている。
【００８６】
締結部２６にはネジ挿通孔２６ａが形成されている。締結部２６には前方へ突出された受部２６ｂが設けられている。
【００８７】
突状部２７は左右両側の部分を除く部分が前後方向を向く平面部２７ａとされ、平面部２７ａの左右両側の部分が斜面部２７ｂ、２７ｂとされている。斜面部２７ｂ、２７ｂは前方へ行くに従って互いに近付くように傾斜されている。平面部２７ａには位置決め孔２７ｃが形成されている。斜面部２７ｂ、２７ｂには位置決め突片２７ｄ、２７ｄが設けられている。
【００８８】
押付部２８の前面にはゴム材料等によって形成された略円環状の密閉用クッション２９が設けられている。押付部２８の内側の孔は出力孔２８ａとして形成されている。
【００８９】
ベース面部２２の上下両端部における前面にはそれぞれ押付用クッション３０、３０が設けられている。押付用クッション３０、３０は左右に延びる形状に形成されている。
【００９０】
密閉用クッション２９と押付用クッション３０、３０は、例えば、第２の配置部材１８の一部として、例えば、２色成形によって設けられている。
【００９１】
押さえ突部２４、２４は左右に離隔して設けられている。
【００９２】
位置決め片２５はベース面部２２の左右方向における中央部から突出され、前方へ突出された位置決めピン２５ａを有している。
【００９３】
第１のスピーカー構造体１５、１５の第１のスピーカーユニット１９、１９はパッシブラジエーター用（図１３及び図１４参照）とアクセル用（図１５及び図１６参照）とで一部の形状が異なっているが、基本的な構成は略同じにされている。第１のスピーカーユニット１９は本体部３１と本体部３１から放射方向へ突出された四つの被取付片部３２、３２、・・・と本体部３１からそれぞれ上下に突出された位置決め片部３３、３３とから成る。
【００９４】
本体部３１の前面にはゴム材料等によって形成された円環状の閉塞用クッション３４が設けられている。本体部３１は閉塞用クッション３４の内側の部分が音声出力部３１ａとされている。
【００９５】
被取付片部３２の先端部には挿通孔３２ａが形成されている。
【００９６】
位置決め片部３３には位置決め孔３３ａが形成されている。
【００９７】
第２のスピーカー構造体１６は第２のスピーカーブラケット３５と第２のスピーカーユニット３６によって構成されている（図７及び図８参照）。
【００９８】
第２のスピーカーブラケット３５は縦長の略矩形状に形成されたベース面部３７とベース面部３７の中央部から前方へ突出された配置用突部３８とを有している（図１７及び図１８参照）。
【００９９】
ベース面部３７は前後方向を向く平面部３９と平面部３９の左右両側に連続して設けられた斜面部４０、４０と斜面部４０、４０の左右における外側に連続して設けられた締結部４１、４１とを有している。
【０１００】
平面部３９の後面には螺孔を有する取付ボス３９ａ、３９ａが上下に離隔して設けられている。平面部３９の後面には取付ボス３９ａの左右に後方へ突出された位置決め軸３９ｂ、３９ｂが設けられている。平面部３９の後面には位置決め軸３９ｂ、３９ｂを挟んで取付ボス３９ａの反対側に、後方へ突出されたコード保持部３９ｃ、３９ｃ、・・・が設けられている。
【０１０１】
締結部４１の上下両端部にはそれぞれネジ挿通孔４１ａ、４１ａが形成されている。一方の締結部４１には上下方向における中央部にネジ用孔４１ｂが形成されている。一方の締結部４１には前方へ突出された位置決め突部４１ｃが設けられている。
【０１０２】
配置用突部３８は平面部３９から前方へ突出され、円環状に形成されている。配置用突部３８の内側の孔は音声出力孔３８ａとして形成されている。
【０１０３】
第２のスピーカーブラケット３５にはベース面部３７の前面にゴム材料等によって形成された環状の密閉用クッション４２が設けられ、密閉用クッション４２は配置用突部３８の周囲に位置されている。密閉用クッション４２も密閉用クッション２９と同様に、２色成形によって設けられていてもよい。
【０１０４】
第２のスピーカーユニット３６は本体部４３と本体部４３からそれぞれ上下に突出された被取付片部４４、４４とから成る（図１９及び図２０参照）。
【０１０５】
本体部４３の前面にはゴム材料等によって形成された円環状の閉塞用クッション４５が設けられている。本体部４３は閉塞用クッション４５の内側の部分が音声出力部４３ａとされている。
【０１０６】
被取付片部４４には挿通孔４４ａが形成されている。
【０１０７】
スピーカー配置部９、９の上端部にはそれぞれスピーカー制御基板４６、４６がネジ止め等によって取り付けられる（図７及び図８参照）。スピーカー制御基板４６は接続コード４７、４７、・・・を介して第１のスピーカーユニット１９、１９、第２のスピーカーユニット３６及びウーハー用のスピーカーユニットに接続されている。
【０１０８】
接続コード４７、４７は、第２のスピーカー構造体１６においてコード保持部３９ｃ、３９ｃ、・・・間に配置されて保持される（図２１参照）。
【０１０９】
このように、接続コード４７、４７が第２のスピーカー構造体１６においてコード保持部３９ｃ、３９ｃ、・・・間に配置されて保持されることにより、第２のスピーカーユニット３６に接続コード４７、４７からの望ましくない負荷が付与されず第２のスピーカーユニット３６の安定した配置状態を確保することができる。
【０１１０】
また、コード保持部３９ｃ、３９ｃ、・・・が第２のスピーカーブラケット３５に設けられているため、接続コード４７を保持する保持部を設けるための専用の部材が不要であり、部品点数の削減及び製造コストの削減を図ることができる。
【０１１１】
スピーカー配置部９、９には後面側からそれぞれカバー体４８、４８が取り付けられる（図７及び図８参照）。カバー体４８は前方に開口された縦長の箱状に形成され、外周部に前方へ突出された押さえ突部４９、４９、・・・が周方向に離隔して設けられている（図２２及び図２３参照）。
【０１１２】
押さえ突部４９には前端部に前後に貫通されたネジ孔４９ａが形成されている。カバー体４８の上端部には上方へ突出された係合片４８ａ、４８ａが左右に離隔して設けられている（図２２及び図２３参照）。
【０１１３】
カバー体４８の外周部における前面にはゴム材料等によって形成されたクッション部材５０が貼り着けられている。
【０１１４】
ディスプレイ２の後側にバックライトユニット４が配置されスピーカー配置部９、９にそれぞれカバー体４８、４８が配置された状態において、後方から図示しないバックカバーがネジ止め等によって取り付けられる。バックカバーは左右両側部がそれぞれ配置用フレーム８の側面部１２に設けられた係止突条１２ａ、１２ａに係合される。また、バックライトユニット４の下端部にはスタンド５１が取り付けられる（図１参照）。スタンド５１によって表示装置１の机上等に対する安定した設置状態が確保される。
【０１１５】
［スピーカー構造体の取付］
以下に、第１のスピーカー構造体１５と第２のスピーカー構造体１６のスピーカー配置部９に対する取付手順を示す（図２４乃至図３１参照）。
【０１１６】
先ず、第１のスピーカー構造体１５のスピーカー配置部９に対する取付手順について説明する（図２４乃至図２７参照）。
【０１１７】
配置用フレーム８がフロントボード３の後面に接して取り付けられた状態において、先ず、第１の配置部材１７が配置用フレーム８のスピーカー配置部９に後方側から配置される（図２４参照）。第１の配置部材１７は配置用突部２１が第１の挿入孔９ａを挿通されて第１の配置孔７ａに挿入され、第１の挿入孔７ａに対して位置決めされる。このとき第１の配置部材１７の被支持突部２２、２２、・・・がベース面部１１の後面に係合されて第１の配置部材１７のスピーカー配置部９に対する前後方向における位置決めが行われる。
【０１１８】
次に、スピーカー配置部９及び第１の配置部材１７に後方側から第２の配置部材１８が配置される（図２５参照）。第２の配置部材１８は位置決め突片２７ｄ、２７ｄと位置決めピン２５ａがそれぞれ位置決め縁１１ｄ、１１ｄと位置決め穴１１ｅに係合されスピーカー配置部９に対して位置決めされる。同時に、第２の配置部材１８は位置決め孔２７ｃ、２７ｃにそれぞれ位置決め突部２１ｂ、２１ｂが挿入され第１の配置部材１７に対して位置決めされる。
【０１１９】
第２の配置部材１８は密閉用クッション２９が第１の配置部材１７の配置用突部２１における後面に押し付けられて密着されると共に押付用クッション３０、３０がベース面部１１の後面に押し付けられて密着される。
【０１２０】
次いで、第１のスピーカーユニット１９が第２の配置部材１８に後面側から配置される（図２６及び図２７参照）。第１のスピーカーユニット１９は位置決め片部３３、３３に形成された位置決め孔３３ａ、３３ａにそれぞれ位置決めピン２５ａ、２５ａが挿入され第２の配置部材１８に対して位置決めされる。第１のスピーカーユニット１９は被取付片部３２、３２、・・・がそれぞれ第２の配置部材１８の締結部２６、２６、・・・の後面に接した状態とされ、挿通孔３２ａ、３２ａ、・・・がそれぞれネジ挿通孔２６ａ、２６ａ、・・・に重ねられる。
【０１２１】
このとき第１のスピーカーユニット１９は閉塞用クッション３４が第２の配置部材１８の押付部２８における後面に押し付けられて密着される。
【０１２２】
次に、第２のスピーカー構造体１６のスピーカー配置部９に対する取付手順について説明する（図２８乃至図３０参照）。
【０１２３】
配置用フレーム８がフロントボード３の後面に接して取り付けられた状態において、先ず、第２のスピーカーブラケット３５が配置用フレーム８のスピーカー配置部９に後方側から配置される（図２８参照）。第２のスピーカーブラケット３５は配置用突部３８が第２の挿入孔９ｂを挿通されて第２の配置孔７ｂに挿入され、第２の挿入孔７ｂに対して位置決めされる。
【０１２４】
このとき第２のスピーカーブラケット３５の密閉用クッション４２がベース面部１１の後面に押し付けられて密着され、第２のスピーカーブラケット３５のスピーカー配置部９に対する前後方向における位置決めが行われる。
【０１２５】
次いで、第２のスピーカーユニット３６が第２のスピーカーブラケット３５に後面側から配置される（図２９及び図３０参照）。第２のスピーカーユニット３６は被取付片部４４、４４がそれぞれ取付ボス３９ａ、３９ａに接した状態とされ、第１の取付ネジ１００、１００がそれぞれ挿通孔４４ａ、４４ａを挿通され取付ボス３９ａ、３９ａに螺合されることにより、第２のスピーカーユニット３６に取り付けられる。
【０１２６】
このとき第２のスピーカーユニット３６は閉塞用クッション４５が第２のスピーカーブラケット３５の配置用突部３８における後面に押し付けられて密着される。
【０１２７】
上記のように第１の配置部材１７、第２の配置部材１８及び第１のスピーカーユニット１９が配置されて第１のスピーカー構造体１５が構成されると共に第１のスピーカーブラケット３５及び第２のスピーカーユニット３６が配置されて第２のスピーカー構造体１６が構成された状態において、カバー体４８がスピーカー配置部９に後面側から配置される（図３１参照）。
【０１２８】
尚、スピーカー制御基板４６は上側の第１のスピーカー構造体１５がスピーカー配置部９に配置される前にスピーカー配置部９に配置され、上側の第１のスピーカー構造体１５における第２の配置部材１８がスピーカー配置部９に配置された状態において、第２の配置部材１８の押さえ突部２４、２４によって押さえられる。
【０１２９】
従って、押さえ突部２４、２４によってスピーカー制御基板４６のスピーカー配置部９に対する変位が規制され、スピーカー配置部９に対するスピーカー制御基板４６の取付作業における作業性の向上を図ることができる。
【０１３０】
カバー体４８はスピーカー配置部９に配置された状態において、クッション部材５０がスピーカー配置部９の後面に押し付けられて密着される。従って、カバー体４８とスピーカー配置部９によって内部に密閉空間が形成される。
【０１３１】
このようにカバー体４８の外周部に、スピーカー配置部９に押し付けられるクッション部材５０が設けられ、カバー体４８とスピーカー配置部９によって密閉空間が形成されるため、第１のスピーカーユニット１９、１９、・・・及び第２のスピーカーユニット３６、３６から出力される音声の漏れが防止され、音質の向上を図ることができる。
【０１３２】
カバー体４８は係合片４８ａ、４８ａがスピーカー配置部９の一部に係合されて配置される。カバー体４８がスピーカー配置部９に配置された状態においては、押さえ突部４９、４９、・・・によって第２の配置部材１８、１８の締結部２６、２６、・・・と第２のスピーカーユニット３６の被取付片部４４、４４、・・・とスピーカー制御基板４６が押さえられる。
【０１３３】
カバー体４８のネジ孔４９ａ、４９ａ、・・・にはそれぞれ第２の取付ネジ２００、２００、・・・が挿通される。このとき、第２の取付ネジ２００、２００、・・・が第２の配置部材１８の締結部２６、２６、・・・に形成されたネジ挿通孔２６ａ、２６ａ、・・・を挿通され、スピーカー配置部９の螺穴１４ａ、１４ａ、・・・に螺合されることにより、第１のスピーカー構造体１５がスピーカー配置部９に取り付けられる。また、別の第２の取付ネジ２００、２００、・・・が第２のスピーカーユニット３６の被取付片部４４、４４、・・・に形成された挿通孔４４ａ、４４ａ、・・・と第２のスピーカーブラケット３５の締結部４１、４１、・・・に形成されたネジ挿通孔４１ａ、４１ａ、・・・を挿通され、スピーカー配置部９の螺穴１４ａ、１４ａ、・・・に螺合されることにより、第２のスピーカー構造体１６がスピーカー配置部９に取り付けられる。さらに、また別の第２の取付ネジ２００、２００がスピーカー制御基板４６を挿通され、スピーカー配置部９の螺穴１４ａ、１４ａ、・・・に螺合されることにより、スピーカー制御基板４６がスピーカー配置部９に取り付けられる。
【０１３４】
上記のように、カバー体４８がスピーカー配置部９に取り付けられ、スピーカー配置部９に第１のスピーカー構造体１５、１５と第２のスピーカー構造体１６が取り付けられた状態においては、図３２に示すように、フロントボード３の第１の配置孔７ａ、７ａにそれぞれ第１の配置部材１７、１７の配置用突部２１、２１と第１のスピーカーユニット１９の音声出力部３１ａが配置され、フロントボード３の第２の配置孔７ｂに第２のスピーカーブラケット３５の配置用突部３８と第２のスピーカーユニット３６の音声出力部４３ａが配置される。
【０１３５】
尚、第１のスピーカーユニット１９からの音声の出力時には音圧による振動が発生し発生した振動が第１の配置部材１７に伝達される可能性があるが、第１の配置部材１７の被支持突部２２、２２、・・・の後方には第２の配置部材１８の受部２６ｂ、２６ｂ、・・・が近接して位置されている。
【０１３６】
従って、第１の配置部材１７の意図しない変位が受部２６ｂ、２６ｂ、・・・によって規制され、第１のスピーカーユニット１９における良好な音質の音声出力を行うことが可能とされている。
【０１３７】
［まとめ］
以上に記載した通り、表示装置１にあっては、第１のスピーカーブラケット２０にフロントボード３の第１の配置孔７ａに対して位置決めされる配置用突部２１が設けられ、配置用突部２１の周囲に環状の密閉用クッション２９が設けられている。
【０１３８】
また、第２のスピーカーブラケット３５にフロントボード３の第２の配置孔７ｂに対して位置決めされる配置用突部３８が設けられ、配置用突部３８の周囲に環状の密閉用クッション４２が設けられている。
【０１３９】
従って、第１のスピーカーユニット１９又は第２のスピーカーユニット３６が取り付けられる第１のスピーカーブラケット２０又は第２のスピーカーブラケット３５がフロントボード３に対して位置決めされ、また、密閉用クッション２９、４２によって音声出力部３１ａ、４３ａから出力される音声の通り道となる空間が密閉空間にされるため、第１のスピーカーユニット１９と第２のスピーカーユニット３６の位置精度の向上を図ることができると共に第１のスピーカーユニット１９と第２のスピーカーユニット３６から出力される音声の音漏れ及びエアー漏れを防止することができる。
【０１４０】
また、第１のスピーカー構造体１５にあっては、第１のスピーカーブラケット２０が、第１の配置部材１７と第２の配置部材１８によって構成され、密閉用クッション２９が第２の配置部材１８の出力孔の２８ａ周囲に設けられ、密閉用クッション２９が第１の配置部材１７の後面に押し付けられている。
【０１４１】
従って、第２の配置孔７ｂ以外からの音漏れ及びエアー漏れを防止することが可能となり第１のスピーカーユニット１９における良好な音質の音声出力を行うことができる。
【０１４２】
さらに、第２のスピーカー構造体１６にあっては、密閉用クッション４２が第２のスピーカーブラケット３５の配置用突部３８の周囲に設けられ、密閉用クッション４２がスピーカー配置部９に押し付けられている。
【０１４３】
従って、第２の配置孔７ｂ以外からの音漏れ及びエアー漏れを防止することが可能となり第２のスピーカーユニット３６における良好な音質の音声出力を行うことができる。
【０１４４】
さらにまた、第１のスピーカーユニット１９と第２のスピーカーユニット３６の前面における音声出力部３１ａ、４３ａの周囲に、第１のスピーカーブラケット２０又は第２のスピーカーブラケット３５に押し付けられる環状の閉塞用クッション３４、４５が設けられている。
【０１４５】
従って、第２の配置孔７ｂ以外からの音漏れ及びエアー漏れを防止することが可能となり第１のスピーカーユニット１９と第２のスピーカーユニット３６における良好な音質の音声出力を行うことができる。
【０１４６】
また、第１のスピーカーブラケット２０における第２の配置部材１８の配置用突部２１の周囲に、スピーカー配置部９の後面に押し付けられる環状の密閉用クッション２９が設けられているため、第１の配置孔７ａ以外からの音漏れ及びエアー漏れを防止することが可能となり第１のスピーカーユニット１９における良好な音質の音声出力を行うことができる。
【０１４７】
さらに、第２の配置部材１８にスピーカー配置部９の後面に押し付けられる押付用クッション３０、３０が設けられているため、第２の配置部材１８のスピーカー配置部９に対するガタツキが防止され、第１のスピーカーユニット１９における良好な音質の音声出力を行うことができる。
【０１４８】
加えて、スピーカー配置部９に取り付けられ第１のスピーカー構造体１５、１５を覆い第１のスピーカーユニット１９を後方から押さえるカバー体４８が設けられているため、第１のスピーカーユニット１９の安定した配置状態が確保され、第１のスピーカーユニット１９における良好な音質の音声出力を行うことができる。
【０１４９】
［本技術］
本技術は、以下のような構成にすることもできる。
【０１５０】
（１）
表示面に画像が表示されるディスプレイと、
前記ディスプレイの前側に配置されたフロントボードと、
前記フロントボードの後面側に配置されスピーカー配置部を有する配置用フレームと、
前記スピーカー配置部に配置され音声出力孔を有するスピーカーブラケットと、
前記スピーカーブラケットに取り付けられ音声出力部を有するスピーカーユニットとを備え、
前記スピーカー配置部に挿入孔が形成され、
前記フロントボードに、前記挿入孔に重ねられる配置孔が形成され、
前記スピーカーブラケットに、前記挿入孔及び前記配置孔に挿入され前記配置孔に対して位置決めされる配置用突部が設けられ、
前記スピーカーブラケットに前記音声出力部の周囲に位置される環状の密閉用クッションが設けられた
表示装置。
【０１５１】
（２）
前記スピーカーブラケットが、前記配置用突部と前記音声出力孔を有する第１の配置部材と、前記第１の配置部材に後面側から取り付けられ前記音声出力孔に重ねられる出力孔を有する第２の配置部材とによって構成され、
前記密閉用クッションが前記第２の配置部材の前記出力孔の周囲に設けられ、
前記密閉用クッションが前記第１の配置部材の後面に押し付けられる。
前記（１）に記載の表示装置。
【０１５２】
（３）
前記密閉用クッションが前記スピーカーブラケットの配置用突部の周囲に設けられ、
前記密閉用クッションが前記スピーカー配置部に押し付けられる
前記（１）に記載の表示装置。
【０１５３】
（４）
前記スピーカーユニットの前面における前記音声出力部の周囲に、前記スピーカーブラケットに押し付けられる環状の閉塞用クッションが設けられた
前記（１）から前記（３）の何れかに記載の表示装置。
【０１５４】
（５）
前記第２の配置部材に前記スピーカー配置部に押し付けられる押付用クッションが設けられた
前記（２）又は前記（４）に記載の表示装置。
【０１５５】
（６）
前記スピーカー配置部に取り付けられ前記スピーカーブラケット及び前記スピーカーユニットを覆い前記スピーカーユニットを後方から押さえるカバー体が設けられた
前記（１）から前記（５）の何れかに記載の表示装置。
【０１５６】
（７）
前記カバー体の外周部に前記スピーカー配置部に押し付けられるクッション部材が設けられた
前記（６）に記載の表示装置。
【０１５７】
（８）
前記スピーカーユニットを制御するスピーカー制御基板が前記スピーカー配置部に取り付けられ、
前記スピーカーブラケットに前記スピーカー配置部を押さえる押さえ突部が設けられた
前記（１）から前記（７）の何れかに記載の表示装置。
【０１５８】
（９）
前記スピーカーユニットを制御するスピーカー制御基板が前記スピーカー配置部に取り付けられ、
前記スピーカー制御基板と前記スピーカーユニットが接続コードによって接続され、
前記スピーカーブラケットに前記接続コードを保持するコード保持部が設けられた
前記（１）から前記（７）の何れかに記載の表示装置。
【０１５９】
（１０）
前記第２の配置部材に、前記第１の配置部材の前記スピーカー配置部に対する前後方向における変位を規制する受部が設けられた
前記（２）又は前記（４）から前記（９）の何れかに記載の表示装置。
【０１６０】
上記した技術を実施するための実施の形態において示した各部の具体的な形状及び構造は、何れも本技術を実施する際の具体化のほんの一例を示したものにすぎず、これらによって本技術の技術的範囲が限定的に解釈されることがあってはならないものである。
【０１６１】
本出願は、日本国特許庁において２０１２年１２月２８日に出願された日本特許出願番号２０１２−２８９０７４号を基礎として優先権を主張するものであり、この出願のすべての内容を参照によって本出願に援用する。
【０１６２】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2014103871.tif 000003
【図２】
2014103871.tif 000004
【図３】
2014103871.tif 000005
【図４】
2014103871.tif 000006
【図５】
2014103871.tif 000007
【図６】
2014103871.tif 000008
【図７】
2014103871.tif 000009
【図８】
2014103871.tif 000010
【図９】
2014103871.tif 000011
【図１０】
2014103871.tif 000012
【図１１】
2014103871.tif 000013
【図１２】
2014103871.tif 000014
【図１３】
2014103871.tif 000015
【図１４】
2014103871.tif 000016
【図１５】
2014103871.tif 000017
【図１６】
2014103871.tif 000018
【図１７】
2014103871.tif 000019
【図１８】
2014103871.tif 000020
【図１９】
2014103871.tif 000021
【図２０】
2014103871.tif 000022
【図２１】
2014103871.tif 000023
【図２２】
2014103871.tif 000024
【図２３】
2014103871.tif 000025
【図２４】
2014103871.tif 000026
【図２５】
2014103871.tif 000027
【図２６】
2014103871.tif 000028
【図２７】
2014103871.tif 000029
【図２８】
2014103871.tif 000030
【図２９】
2014103871.tif 000031
【図３０】
2014103871.tif 000032
【図３１】
2014103871.tif 000033
【図３２】
2014103871.tif 000034
【国際調査報告】
2014103871.tif 000035
2014103871.tif 000036
2014103871.tif 000037
2014103871.tif 000038